【手続補正書】
【提出日】平成28年5月4日(2016.5.4)
【手続補正１】
【補正対象書類名】特許請求の範囲
【補正対象項目名】全文
【補正方法】変更
【補正の内容】
【特許請求の範囲】
【請求項１】
真水の品質に基づいて真水の価値を高めるために水質測定を用いるためのコンピュータ化された方法であって、
水以外の少なくとも１つのルート商品の更新可能な現在の価格を１つ以上のデジタル処理装置で自動的に入手する工程であって、少なくとも１つのルート商品のそれぞれのルート商品が、（ｉ）前記それぞれのルート商品中の構成要素としての水、および、（ｉｉ）前記それぞれのルート商品の製造に用いられる水、の少なくとも１つを有する、工程、
家庭用、農業用、および、工業用を含む複数の水質カテゴリーを定義し、家庭用、農業用、および工業用の前記水質カテゴリーの各々について、ＮａとＣｌの非ゼロ量、および（ｉ）ＴＤＳ、（ｉｉ）Ｈ２ＣＯ３、（ｉｉｉ）ＣａＣＯ３、並びに（ｉｖ）ＮＯ３の１つ以上の非ゼロ量の許容可能な範囲を定義する工程、
ＮａとＣｌの量に対して、および（ｉ）ＴＤＳ、（ｉｉ）Ｈ２ＣＯ３、（ｉｉｉ）ＣａＣＯ３、（ｉｖ）Ｎａ、（ｖ）Ｃｌ、並びに（ｖｉ）ＮＯ３の１つ以上の量に対して、真水を有する少なくとも１つの水源の真水を測定するための水質測定装置を使用する工程、
複数の水質カテゴリーの１つの水質カテゴリー内で測定された真水を分類するために、ＮａとＣｌの非ゼロ量、および（ｉ）ＴＤＳ、（ｉｉ）Ｈ２ＣＯ３、（ｉｉｉ）ＣａＣＯ３、（ｉｖ）Ｎａ、（ｖ）Ｃｌ、並びに（ｖｉ）ＮＯ３の１つ以上の非ゼロ量の定義された許容可能な範囲に関して、水質測定装置から受け取った出力を、１つ以上のデジタル処理装置の少なくとも１つにより用いる工程、
各ルート商品の製造に用いられる水の品質が、Ｎａ、Ｃｌ、およびＴＤＳ、Ｈ２ＣＯ３、ＣａＣＯ３、並びにＮＯ３の少なくとも１つに関してそれぞれの水質カテゴリーの水質基準を満たすように、少なくとも１つのルート商品のそれぞれのルート商品に、家庭用、農業用、および工業用の水質カテゴリーのそれぞれをマッチさせる工程、および、
少なくとも１つの水質カテゴリーのそれぞれの水質カテゴリーについて、前記それぞれの水質カテゴリーを満たす真水の現在の指標値を、１つ以上のデジタル処理装置を用いて決定する工程であって、指標値は、前記それぞれの水質カテゴリーにマッチした前記それぞれのルート商品の現在の価格に基づいて、および、（ｉ）前記それぞれの水質カテゴリーにマッチした前記それぞれのルート商品中の構成要素としての真水の量と、（ｉｉ）前記それぞれの水質カテゴリーにマッチした前記それぞれのルート商品の製造に用いられる真水の量、の少なくとも１つに基づいて、決定される、工程、並びに、
少なくとも１つの水質カテゴリーのそれぞれについて特定の水源から真水の適合性の現在の値によってそれぞれの現在の指標値を１つ以上のデジタル処理装置により自動的に調整する工程であって、適合性の現在の値は需要と供給以外かつ輸送コスト以外の因子により決定される、工程、
を含む方法。
【請求項２】
家庭用の水質カテゴリー基準は、以下の６つの基準の少なくとも１つに関して以下と同じくらい少なくとも厳格であり：ＴＤＳ＜５００ｍｇ／リットル、Ｈ２ＣＯ３＜５００ｍｇ／リットル、ＣａＣＯ３＜４００ｍｇ／リットル、Ｎａ＜５０ｍｇ／リットル、Ｃｌ＜４００ｍｇ／リットル、ＮＯ３＜２０ｍｇ／リットル、
農業用の水質カテゴリー基準は、以下の６つの基準の少なくとも１つに関して以下と同じくらい少なくとも厳格であり：ＴＤＳ＜２０００ｍｇ／リットル、Ｈ２ＣＯ３＜５００ｍｇ／リットル、ＣａＣＯ３＜２０００ｍｇ／リットル、Ｎａ＜８００ｍｇ／リットル、Ｃｌ＜８００ｍｇ／リットル、ＮＯ３＜５０ｍｇ／リットル、および、
工業用の水質カテゴリー基準は、以下の６つの基準の少なくとも１つに関して以下と同じくらい少なくとも厳格である：ＴＤＳ＜５００ｍｇ／リットル、Ｈ２ＣＯ３＜５００ｍｇ／リットル、ＣａＣＯ３＜２００ｍｇ／リットル、Ｎａ＜５０ｍｇ／リットル、Ｃｌ＜４００ｍｇ／リットル、ＮＯ３＜１００ｍｇ／リットル、
請求項１に記載の方法。
【請求項３】
１つ以上のデジタル処理装置と接続したディスプレイに、１つ以上のルート商品の更新可能な現在の価格と、とりわけ、
（ｉ）水質カテゴリー、
（ｉｉ）水質階級、または
（ｉｉｉ）水質カテゴリーと水質階級
の真水の更新可能な現在の価格とを表示する工程であって、特定の水質の真水の現在の価格は、１つ以上のルート商品の現在の価格に依存する、工程をさらに含む、請求項１または２に記載の方法。
【請求項４】
１つ以上の処理装置と接続したディスプレイに、1つ以上のルート商品の更新可能な現在の価格と、特定の水質カテゴリーと水質階級の真水の更新可能な現在の価格とを表示する工程をさらに含む、請求項１乃至３のいずれか１つに記載の方法。
【請求項５】
１つ以上のデジタル処理装置と接続したディスプレイの第１の部分に、真水の１以上の現在の指標値と、水、または、第１の部分に現在の価格が表示されている真水のカテゴリーのいずれかを特定するしるしを表示する工程であって、ディスプレイはさらに、その第２の部分に、その現在の指標値の少なくとも１つが算出されている少なくとも１つのルート商品の現在の価格と、第２の部分にその現在の価格が表示されている少なくとも１つのルート商品を特定するしるしを表示する、工程をさらに含む、請求項１乃至４のいずれか１つに記載の方法。
【請求項６】
水質基準はＥＥＣ、ＷＨＯ、または米国の少なくとも１つにより公布される、請求項１乃至５のいずれか１つに記載の方法。
【請求項７】
（ｉ）複数の水質カテゴリーのそれぞれについて特定の水源に由来する真水の適合性の決定された現在の値と（ｉｉ）それぞれの水質カテゴリーからの水の市場占有率とによって組み合わされたそれぞれの指標値に、処理装置を用いて重み付けする工程をさらに含む、請求項１乃至６のいずれか１つに記載の方法。
【請求項８】
決定された指標値と少なくとも１つの水源の真水の測定された品質とに基づいて、少なくとも１つの水源の真水の少なくとも一部の価値を、１以上のデジタル処理装置で決定する工程をさらに含む、請求項１乃至７のいずれか１つに記載の方法。
【請求項９】
真水の価値を高めるために水質測定を用いるためのシステムであって、
前記システムは、
ＮａとＣｌの量に対して、および（ｉ）ＴＤＳ、（ｉｉ）Ｈ２ＣＯ３、（ｉｉｉ）ＣａＣＯ３、（ｉｖ）Ｎａ、（ｖ）Ｃｌ、並びに（ｖｉ）ＮＯ３の１つ以上の量に対して、真水を有する少なくとも１つの水源の真水を測定するための水質測定装置、
１以上のデジタル処理装置を備え、
該デジタル処理装置は、
水以外の少なくとも１つのルート商品の更新可能な現在の価格を入手するためのものであり、少なくとも１つのルート商品のそれぞれのルート商品が、（ｉ）構成要素としての水、および、（ｉｉ）前記それぞれのルート商品の製造で用いられる水の少なくとも１つを有し、
該デジタル処理装置はさらに、
少なくとも１つの水質カテゴリーについての水質基準を保存するためのものであり、
ＮａとＣｌの非ゼロ量、および（ｉ）ＴＤＳ、（ｉｉ）Ｈ２ＣＯ３、（ｉｉｉ）ＣａＣＯ３、並びに（ｉｖ）ＮＯ３の１つ以上の非ゼロ量の許容可能な範囲に基づいて、家庭用、農業用、および工業用の水質カテゴリーを含む複数の水質カテゴリーを定義するためのものであり、
複数の水質カテゴリーの１つの水質カテゴリー内で測定された真水を分類するために、ＮａとＣｌの非ゼロ量、および（ｉ）ＴＤＳ、（ｉｉ）Ｈ２ＣＯ３、（ｉｉｉ）ＣａＣＯ３、（ｉｖ）Ｎａ、（ｖ）Ｃｌ、並びに（ｖｉ）ＮＯ３の１つ以上の非ゼロ量の定義された許容可能な範囲に関して、水質測定装置から受け取った出力を用いるためのものであり、
ルート商品の製造で使用される水の品質が、ＴＤＳ、Ｈ２ＣＯ３、ＣａＣＯ３、Ｎａ、Ｃｌ、およびＮＯ３の少なくとも１つに関してそれぞれの水質カテゴリーの水質基準を満たすように、少なくとも１つのルート商品のそれぞれのルート商品に、家庭用、農業用、および工業用の水質カテゴリーの中から少なくとも１つの水質カテゴリーのそれぞれの間の関連付けを処理するためのものであり、
前記それぞれのルート商品の現在の価格に基づいて、および、（ｉ）前記それぞれの水質カテゴリーに関連付けられたルート商品中の構成要素としての真水の量と、（ｉｉ）ルート商品の製造で用いられる真水の量の少なくとも１つに基づいて、水質カテゴリーのそれぞれの真水の更新可能な現在の指標値を決定するためのものであり、および、
少なくとも１つの水質カテゴリーのそれぞれについて特定の水源に由来する真水の適合性の現在値によってそれぞれの現在の指標値を自動的に調整するためのものであり、適合性の現在値は、需要と供給以外かつ輸送コスト以外の因子により決定される、
システム。
【請求項１０】
家庭用の水質カテゴリー基準は、以下の６つの基準の少なくとも１つに関して以下と同じくらい少なくとも厳格であり：ＴＤＳ＜５００ｍｇ／リットル、Ｈ２ＣＯ３＜５００ｍｇ／リットル、ＣａＣＯ３＜４００ｍｇ／リットル、Ｎａ＜５０ｍｇ／リットル、Ｃｌ＜４００ｍｇ／リットル、ＮＯ３＜２０ｍｇ／リットル、
農業用の水質カテゴリー基準は、以下の６つの基準の少なくとも１つに関して以下と同じくらい少なくとも厳格であり：ＴＤＳ＜２０００ｍｇ／リットル、Ｈ２ＣＯ３＜５００ｍｇ／リットル、ＣａＣＯ３＜２０００ｍｇ／リットル、Ｎａ＜８００ｍｇ／リットル、Ｃｌ＜８００ｍｇ／リットル、ＮＯ３＜５０ｍｇ／リットル、および、
工業用の水質カテゴリー基準は、以下の６つの基準の少なくとも１つに関して以下と同じくらい少なくとも厳格である：ＴＤＳ＜５００ｍｇ／リットル、Ｈ２ＣＯ３＜５００ｍｇ／リットル、ＣａＣＯ３＜２００ｍｇ／リットル、Ｎａ＜５０ｍｇ／リットル、Ｃｌ＜４００ｍｇ／リットル、ＮＯ３＜１００ｍｇ／リットル、
請求項９に記載のシステム。
【請求項１１】
１つ以上のルート商品の更新可能な現在の価格と、特定の
（ｉ）水質カテゴリー、
（ｉｉ）水質階級、または、
（ｉｉｉ）水質カテゴリーと水質階級、
の真水の更新可能な現在の価格とを表示するための、１以上のデジタル処理装置に接続したディスプレイをさらに含み、その結果、特定の水質の真水の現在の価格が１つ以上のルート商品の現在の価格に依存する、請求項９または１０に記載のシステム。
【請求項１２】
１つ以上のルート商品の更新可能な現在の価格と、特定の水質カテゴリーと水質階級の真水の更新可能な現在の価格を表示するように構成された、コンピュータに接続したディスプレイをさらに含む、請求項９乃至１１のいずれか１つに記載のシステム。
【請求項１３】
真水の現在の指標値の１つ以上、および、水、または第１の部分に表示された現在の指標値のそれぞれ１つの真水のカテゴリーを特定するしるしを表示するための１以上のデジタル処理装置に接続したディスプレイをさらに備え、ディスプレイはさらに、その現在の指標値の少なくとも１つが算出されている少なくとも１つのルート商品の現在の価格と、その現在の価格がディスプレイ上で表示されている少なくとも１つのルート商品のそれぞれを特定するしるしを表示する、請求項９乃至１２のいずれか1つに記載のシステム。
【請求項１４】
真水の現在の指標値の１つ以上、および、水、または、第１の部分に表示された現在の指標値のそれぞれ１つの真水のカテゴリーを特定するしるしを、その第１の部分に表示するための、１以上のデジタル処理装置に接続したディスプレイをさらに備え、ディスプレイは、その第２の部分に、その現在の指標値の少なくとも１つが算出されている少なくとも１つのルート商品の現在の価格と、第２の部分にその現在の価格が表示されている少なくとも１つのルート商品を特定するしるしを表示する、請求項９乃至１３のいずれか１つに記載のシステム。
【請求項１５】
（ｉ）飲料用または家庭用の最小基準を満たす水の第１の水質カテゴリー、（ｉｉ）飲料水の基準を満たさないが、農業用品質の水の最小基準を満たす水の第２の水質カテゴリー、および（ｉｉｉ）農業用品質の水または飲料水の基準を満たさないが、工業用の品質の水の最小基準を満たす第３の水質カテゴリー、からの少なくとも１つを含む少なくとも１つの水質カテゴリーをさらに含む、請求項９乃至１４のいずれか１つに記載のシステム。
【請求項１６】
水製品の第１のセット、水製品の第２のセット、および水製品の第３のセットを含む水製品の３つ以上のセットからの水製品の少なくとも２つのセットの集まりであって、
水製品の少なくとも３つのセットの各々は異なる水質カテゴリーのものであり、各々の異なる水質カテゴリーは少なくとも２つの階級の水を含み、各々の異なる階級は化学成分と化学的な品質の独特なセットにより定義されるような独特な水質を特徴とし、化学成分と化学的な品質はＮａ、Ｃｌの１つ以上の量、および（ｉ）ＴＤＳ、（ｉｉ）Ｈ２ＣＯ３、（ｉｉｉ）ＣａＣＯ３、並びに（ｉｖ）ＮＯ３の１つ以上の量に関連して水を測定するように構成された水測定装置により決定され、水製品の第１のセットは第１の水質カテゴリーの水であり、Ｎａ、Ｃｌの１つ以上の高品質、中程度の品質、低品質の階級の中の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の１つ以上の少なくとも１つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の１つ以上に関する量または範囲の以下の第１のセットを有し、
【表１】
2015517696.tif 000001
水製品の第２のセットは第２の水質カテゴリーの水であり、Ｎａ、Ｃｌの１つ以上の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の１つ以上の少なくとも１つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の１つ以上に関する量または範囲の以下の第２のセットを有し、および、
【表２】
2015517696.tif 000002
水製品の第３のセットは第３の水質カテゴリーの水であり、Ｎａ、Ｃｌの１つ以上の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の１つ以上の少なくとも１つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の１つ以上に関する量または範囲の以下の第３のセットを有し、
【表３】
2015517696.tif 000003
水製品の各セットのそれぞれの水製品は別の独特の水質を有し、水製品の各セットの水製品は特定の測定された品質である、
集まり。
【請求項１７】
第１の水質カテゴリーの水製品の第１のセットは、Ｎａ、Ｃｌの１つ以上の少なくとも２つの階級について、および（ｉ）ＴＤＳ、（ｉｉ）Ｈ２ＣＯ３、（ｉｉｉ）ＣａＣＯ３、並びに（ｉｖ）ＮＯ３の１つ以上の少なくとも２つの階級について、量または範囲の第１のセットを有する、請求項１６に記載の集まり。
【請求項１８】
第１の水質カテゴリーの水製品の第２のセットは、Ｎａ、Ｃｌの１つ以上の少なくとも２つの階級について、および（ｉ）ＴＤＳ、（ｉｉ）Ｈ２ＣＯ３、（ｉｉｉ）ＣａＣＯ３、並びに（ｉｖ）ＮＯ３の１つ以上の少なくとも２つの階級について、量または範囲の第２のセットを有する、請求項１７に記載の集まり。
【請求項１９】
水製品の第１のセット、水製品の第２のセット、および水製品の第３のセットをさらに含む、請求項１６に記載の集まり。
【請求項２０】
第１の水質カテゴリーの水製品の第１のセットは、Ｎａ、Ｃｌの１つ以上の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の２つ以上の少なくとも１つの階級について、ＮａとＣｌの１つ以上の量、および（ｉ）ＴＤＳ、（ｉｉ）Ｈ２ＣＯ３、（ｉｉｉ）ＣａＣＯ３、並びに（ｉｖ）ＮＯ３の２つ以上の量に関する量または範囲の第１のセットを有し、
【表４】
2015517696.tif 000004
第２の水質カテゴリーの水製品の第２のセットは、Ｎａ、Ｃｌの１つ以上の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の２つ以上の少なくとも１つの階級について、ＮａとＣｌの１つ以上の量、および（ｉ）ＴＤＳ、（ｉｉ）Ｈ２ＣＯ３、（ｉｉｉ）ＣａＣＯ３、並びに（ｉｖ）ＮＯ３の２つ以上の量に関する量または範囲の第２のセットを有し、および、
【表５】
2015517696.tif 000005
第３の水質カテゴリーの水製品の第３のセットは、Ｎａ、Ｃｌの１つ以上の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の２つ以上の少なくとも１つの階級について、ＮａとＣｌの１つ以上の量、および（ｉ）ＴＤＳ、（ｉｉ）Ｈ２ＣＯ３、（ｉｉｉ）ＣａＣＯ３、並びに（ｉｖ）ＮＯ３の２つ以上の量に関する量または範囲の第３のセットを有する、
【表６】
2015517696.tif 000006
請求項１６に記載の集まり。
【請求項２１】
第１の水質カテゴリーの水製品の第１のセットは、Ｎａ、Ｃｌの１つ以上の少なくとも２つの階級について、および（ｉ）ＴＤＳ、（ｉｉ）Ｈ２ＣＯ３、（ｉｉｉ）ＣａＣＯ３、並びに（ｉｖ）ＮＯ３の２つ以上の少なくとも２つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の２つ以上に関する量または範囲の第１のセットを有する、請求項２０に記載の集まり。
【請求項２２】
第１の水質カテゴリーの水製品の第２のセットは、Ｎａ、Ｃｌの１つ以上の少なくとも２つの階級について、および（ｉ）ＴＤＳ、（ｉｉ）Ｈ２ＣＯ３、（ｉｉｉ）ＣａＣＯ３、並びに（ｉｖ）ＮＯ３の２つ以上の少なくとも２つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の２つ以上に関する量または範囲の第２のセットを有する、請求項２１に記載の集まり。
【請求項２３】
第１の水質カテゴリーの水製品の第１のセットは、Ｎａ、Ｃｌの１つ以上の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の３つ以上の少なくとも１つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の３つ以上に関する量または範囲の第１のセットを有し、
【表７】
2015517696.tif 000007
第２の水質カテゴリーの水製品の第２のセットは、Ｎａ、Ｃｌの１つ以上の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の３つ以上の少なくとも１つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の３つ以上に関する量または範囲の第２のセットを有し、および、
【表８】
2015517696.tif 000008
第３の水質カテゴリーの水製品の第３のセットは、Ｎａ、Ｃｌの１つ以上の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の３つ以上の少なくとも１つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の３つ以上に関する量または範囲の第３のセットを有する、
【表９】
2015517696.tif 000009
請求項１６に記載の集まり。
【請求項２４】
第１の水質カテゴリーの水製品の第１のセットは、Ｎａ、Ｃｌの１つ以上の少なくとも２つの階級について、および（ｉ）ＴＤＳ、（ｉｉ）Ｈ２ＣＯ３、（ｉｉｉ）ＣａＣＯ３、並びに（ｉｖ）ＮＯ３の３つ以上の少なくとも２つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の３つ以上に関する量または範囲の第１のセットを有する、請求項２３に記載の集まり。
【請求項２５】
第１の水質カテゴリーの水製品の第２のセットは、Ｎａ、Ｃｌの１つ以上の少なくとも２つの階級について、および（ｉ）ＴＤＳ、（ｉｉ）Ｈ２ＣＯ３、（ｉｉｉ）ＣａＣＯ３、並びに（ｉｖ）ＮＯ３の３つ以上の少なくとも２つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の３つ以上に関する量または範囲の第２のセットを有する、請求項２３に記載の集まり。
【請求項２６】
水製品の第１のセット、水製品の第２のセット、および水製品の第３のセットを含む水製品の３つ以上のセットからの水製品の少なくとも２つのセットの集まりであって、
水製品の少なくとも３つのセットの各々は異なる水質カテゴリーの水を含み、各々の異なる水質カテゴリーは少なくとも２つの階級の水を含み、各々の異なる階級は化学成分と化学的な品質の独特なセットにより定義されるような独特な水質を特徴とし、化学成分と化学的な品質はＮａ、Ｃｌの１つ以上の量、および（ｉ）ＴＤＳ、（ｉｉ）Ｈ２ＣＯ３、（ｉｉｉ）ＣａＣＯ３、並びに（ｉｖ）ＮＯ３の１つ以上の量に関連して水を測定するように構成された水測定装置により決定され、水製品の第１のセットは第１の水質カテゴリーの瓶詰めの水であり、水製品の第１のセットの高品質、中程度の品質、低品質の階級の少なくとも１つについて、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の１つ以上に関する量または範囲の以下の第１のセットを有し、
【表１０】
2015517696.tif 000010
水製品の第２のセットは第２の水質カテゴリーの水であり、Ｎａ、Ｃｌの１つ以上の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の１つ以上の少なくとも１つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の１つ以上に関する量または範囲の以下の第２のセットを有し、および、
【表１１】
2015517696.tif 000011
水製品の第３のセットは第３の水質カテゴリーの水であり、Ｎａ、Ｃｌの１つ以上の少なくとも１つの階級について、および（ｉ）ＴＤＳ、（ｉｉ）Ｈ２ＣＯ３、（ｉｉｉ）ＣａＣＯ３、並びに（ｉｖ）ＮＯ３の１つ以上の少なくとも１つの階級について、ＮａとＣｌの１つ以上に関する、および（ｉ）ＴＤＳ、（ｉｉ）Ｈ２ＣＯ３、（ｉｉｉ）ＣａＣＯ３、並びに（ｉｖ）ＮＯ３の１つ以上に関する量または範囲の以下の第３のセットを有する、
【表１２】
2015517696.tif 000012
集まり。
【請求項２７】
水製品の第２のセットは農業用途のためのものであり、水製品の第３のセットは工業用途のためのものである、請求項２６に記載の集まり。
【請求項２８】
水製品の第１のセットと水製品の第２のセットの少なくとも１つは、水質カテゴリーと階級の少なくとも１つに基づいてラベル付けされる、請求項１６に記載の集まり。
【請求項２９】
水製品の第１のセットと水製品の第２のセットの少なくとも１つは、金融商品のための担保である、請求項１６に記載の集まり。